(57)【要約】  本発明は、アイドルモードにおけるシグナリング節約ISR機能の活性化判断方法及びシステムを提供し、この方法は以下の内容を含み：ISR活性化判断ネットソース、ターミナルが送信するルーティングエリア又はトラッキングエリアの更新請求を受信してISR機能を活性化するかどうかを判断するには、ターミナルとネットワークのISR能力とSGs/Gs関連情報を取得する必要がある；ISR活性化判断ネットソースがSGsとGs関連情報によって、ターミナルとネットワークがISR活性化条件を満足する特定の場景にてISR機能の活性化を制限する。その中、ISR活性化判断ネットソースは移動性管理実体MME又は通用無線パケット業務のサービスサポートノードSGSNの中の一つである。本発明の方法及びシステムを利用することによって、ISR機能を導入後、MSC/VLRがUEをページングできないかもしれない問題を解決した。
2011527537.tif 000002
【特許請求の範囲】
【請求項１】
アイドルモードにおけるシグナリング節約ISR機能活性化の判断方法であって、当該方法は以下の内容を含み：
ISR機能活性化プロセスにて、ISR活性化判断ネットソースがターミナルMS/UEとネットワークのISR能力、及びSGsとGs関連情報を承知する；
前記ISR活性化判断ネットソースは承知した前記SGsとGs関連情報によって、ターミナルMS/UEとネットワークがISR活性化条件を満足する特定の場景にてISR機能の活性化を制限する；
その中、前記ISR活性化判断ネットソースは移動性管理実体MME又は通用無線パケット業務サービスサポートノードSGSNの中の一つである。
【請求項２】
請求項１に記載の判断方法であって、その中前記SGsとGs関連情報は：
SGs/Gsインタフェースをサポートするかどうか；またはSGs/Gsアソシエイトを構築するかどうか；またはS3インタフェースにて回線交換ドメインCS業務ページングメッセージの転送をサポートするかどうか；または上記各項の組合せである。
【請求項３】
請求項１に記載の判断方法であって、その中、
前記ISR活性化判断ネットソースは静態配置方式で前記SGsとGs関連情報を取得する。
【請求項４】
請求項３に記載の判断方法であって、その中、前記方法はさらに以下の内容を含み：
前記ISR活性化判断ネットソースはその上における静態配置した前記SGsとGs関連情報によりSGsとGsのインタフェースを同時にサポートできないことを承知すれば、ISR活性化を制限する；
または、前記方法はさらに以下の内容を含み：前記ISR活性化判断ネットソースは前記SGSNであり、前記SGSNはその上に設置した前記SGsとGs関連情報によって、MMEがSGsインタフェースをサポートする方式にて動作していることを承知すれば、聯合更新のプロセスにてISR活性化を制限する；
また、前記方法はさらに以下の内容を含み：
前記ISR活性化判断ネットソースはMMEとSGSNの間にて回線交換ドメインCS業務のページングメッセージの転送をサポートできないと承知すれば、聯合更新のプロセスにてISR活性化を制限する。
【請求項５】
請求項１に記載の方法であって、その中、
前記ISR活性化判断ネットソースはコンテキスト応答メッセージを通じて、コンテキスト請求応答ネットソースから前記SGsとGs関連情報を取得する；その中、前記SGsとGs関連情報はSGsとGsインタフェースをサポートするかどうかの情報であり；前記SGsとGs関連情報は一つの情報フィールドを新しく増加すること、または、既存のフィールドを拡張する方式によって実現する。
【請求項６】
請求項５に記載の方法であって、その中前記方法はさらに以下の内容を含み：
前記ISR活性化判断ネットソースはコンテキスト応答メッセージを通じて取得した前記SGsとGs関連情報によって、SGsとGsインタフェースを同時にサポートできないと承知すれば、ISR活性化を制限する；
または、前記方法はさらに以下の内容を含み：
前記ISR活性化判断ネットソースは前記SGSNであり、前記SGSNはコンテキスト応答メッセージを通じて取得した前記SGsとGs関連情報によって、MMEがSGsインタフェースをサポートする方式にて動作していることを承知すれば、聯合更新のプロセスにてISR活性化を制限する。
【請求項７】
請求項１に記載の方法であって、その中、
前記ISR活性化判断ネットソースはコンテキスト応答メッセージを通じて、コンテキスト請求応答ネットソースから前記SGsとGs関連情報を取得する；その中、前記SGsとGs関連情報はSGsとGs関連を既に構築したかどうかの情報である；前記SGsとGs関連情報は一つの情報フィールドを新しく増加すること、または、既存のフィールドを拡張する方式によって実現する。
【請求項８】
請求項７に記載の方法であって、その中前記方法はさらに以下の内容を含む：
前記ISR活性化判断ネットソースはコンテキスト応答メッセージを通じて取得した前記SGsとGs関連情報によって、SGsアソシエイト又はGsアソシエイト中の一種の構築しかをサポートできないと承知すれば、ISR活性化を制限する；
または、前記方法はさらに以下の内容を含み：
前記ISR活性化判断ネットソースは前記SGSNであり、前記SGSNはコンテキスト応答メッセージを通じて取得した前記SGsとGs関連情報によって、MMEが既に当該ターミナルMS/UEのためにSGsアソシエイトを構築したと承知すれば、聯合更新のプロセスにてISR活性化を制限する。
【請求項９】
請求項１に記載の方法であって、その中、
前記ISR活性化判断ネットソースはターミナルMS/MUがルーティングエリア又はトラッキングエリア更新請求メッセージなかに携帯した情報によって、前記SGsとGs関連情報を取得する；その中、前記SGs/Gs関連情報はUEが前回アクセスした無線アクセスシステムにて既にSGs/Gsアソシエイト関係を構築したかどうかの情報であり、前記SGs/Gs関連情報は一つの情報フィールドを新しく増加すること、または、既存のフィールドを拡張する方式によって実現する。
【請求項１０】
請求項９に記載の方法であって、その中、
前記方法はさらに以下の内容を含み：前記ISR活性化判断ネットソースはターミナルMS/UEがルーティングエリア又はトラッキングエリア更新請求メッセージにて携帯した情報により取得した前記SGsとGs関連情報によって、SGsアソシエイト又はGsアソシエイトの中の一種の構築しかをサポートできないと承知すれば、ISR活性化を制限する；
または、前記方法はさらに以下の内容を含み：
前記ISR活性化判断ネットソースは前記SGSNであり、前記SGSNはターミナルMS/MUがルーティングエリア更新請求メッセージにて携帯された情報によって取得した前記SGsとGs関連情報により、MMEが既に当該ターミナルMS/UEのためにSGsアソシエイトを構築したことを承知すれば、聯合更新のプロセスにてISR活性化を制限する；
その中、前記方法はさらに以下の内容を含み：
前記SGs/Gs関連情報は多種類の実施方式があり、前記実施方式は以下の内容を含み：
ターミナルMS/UEがSGs/Gsアソシエイト関係を構築するかどうかを明確に示す方式；または、
ターミナルMS/UEが回線交換ドメインフォールバックCSFB能力があると指示し、且つネットワーク或いはターミナルMS/UE規定によってCSFB機能を活性化する場合のみに、前記SGs/Gs関連情報を携帯し、この方式を通じてターミナルMS/UEがすでにSGsアソシエイトを構築したとネットワークに知らせる。
【請求項１１】
アイドルモードにおけるシグナリング節約ISR機能活性化の判断システムであって、当該システムは以下の内容を含み：
ISR機能活性化プロセスにて、ターミナルMS/UEとネットワークのISR能力及びSGsとGs関連情報を承知することに利用されるISR活性化判断ネットソース；
その中、前記ISR活性化判断ネットソースは、承知した前記SGsとGs関連情報によって、前記ターミナルMS/UEとネットワークがISR活性化条件を満たす特定の場景にてISR機能の活性化を制限することにも利用される；
その中、前記ISR活性化判断ネットソースは移動性管理実体MME又は通用無線パケット業務サービスサポートノードSGSNの中の一つである。
【請求項１２】
請求項１１に記載の判断システムであって、その中前記ISR活性化判断ネットソースに前記SGsとGs関連情報を静的に配置されている；その中、
前記ISR活性化判断ネットソースは前記SGsとGs関連情報からSGsとGsインタフェースを同時にサポートできないと承知し、ISR活性化を制限する；
又は前記ISR活性化判断ネットソースは前記SGSNであり、前記SGSNはその上に設置する前記SGsとGs関連情報によってMMEがSGsインタフェースをサポートする方式にて動作していることを承知し、聯合更新のプロセスにてISR活性化を制限する；
又は、前記ISR活性化判断ネットソースは前記MMEであり、前記MMEの上においてS3インタフェースでCSページングメッセージの転送をサポートしないの前記SGsとGs関連情報が静的に配置され、前記MMEは前記SGsとGs関連情報からMMEとSGSNの間でサキットドメインCS業務のページングメッセージの転送をサポートできないことを承知し、聯合更新のプロセスにてISR活性化を制限する。
【請求項１３】
請求項１１に記載のシステムであって、その中さらにコンテキスト請求応答ネットソースを含み、前記ISR活性化判断ネットソースがコンテキスト応答メッセージを通じて前記コンテキスト請求応答ネットソースから前記SGsとGs関連情報を取得し、前記SGsとGs関連情報はSGsとGsインタフェースをサポートするかどうかの情報である；前記SGsとGs関連情報は一つの情報フィールドを新しく増加すること、または、既存のフィールドを拡張する方式によって実現する；その中：
前記ISR活性化判断ネットソースはコンテキスト応答メッセージを通じて取得した前記SGsとGs関連情報によって、SGsとGsインタフェースを同時にサポートできないと承知し、ISR活性化を制限する；
または、前記ISR活性化判断ネットソースは前記SGSNであり、前記SGSNはコンテキスト応答メッセージを通じて取得した前記SGsとGs関連情報によって、MMEがSGsインタフェースをサポートする方式にて動作していることを承知し、聯合更新のプロセスにてISR活性化を制限する。
【請求項１４】
請求項１１に記載のシステムであって、その中さらにコンテキスト請求応答ネットソースを含み、前記ISR活性化判断ネットソースはコンテキスト応答メッセージを通じてコンテキスト請求応答ネットソースから前記SGsとGs関連情報を取得し、前記SGsとGs関連情報はSGsとGsアソシエイトを既に構築したかどうかの情報である；前記SGsとGs関連情報は一つの情報フィールドを新しく増加すること、または、既存のフィールドを拡張することによって実現する；その中：
前記ISR活性化判断ネットソースはコンテキスト応答メッセージを通じて取得した前記SGsとGs関連情報によって、SGsアソシエイト又はGsアソシエイトの中の一種の構築しかサポートできないことを承知し、ISR活性化を制限する；
または、前記ISR活性化判断ネットソースは前記SGSNであり、前記SGSNがコンテキスト応答メッセージを通じて取得した前記SGsとGs関連情報によって、MMEが既に当該ターミナルMS/UEのためにSGsアソシエイトを構築したことを承知し、聯合更新のプロセスにてISR活性化を制限する。
【請求項１５】
請求項１１に記載のシステムであって、その中さらにターミナルMS/UEとコンテキスト請求応答ネットソースを含み、前記ISR活性化判断ネットソースは前記ターミナルMS/UEがルーティングエリア又はトラッキングエリア更新請求メッセージにて携帯された情報によって、前記SGsとGs関連情報を取得する、前記SGs/Gs関連情報はUEが前回アクセスした無線アクセスシステムにて既にSGs/Gsアソシエイト関係を構築したかどうかの情報であり、前記SGs/Gs関連情報は一つの情報フィールドを新しく増加すること、また、既存のフィールドを拡張する方式によって実現する；その中、
前記ISR活性化判断ネットソースはターミナルMS/MUがルーティングエリア又はトラッキングエリア更新請求メッセージにて携帯された情報を通じて取得した前記SGsとGs関連情報によって、SGsアソシエイト又はGsアソシエイトの中の一種の構築しかサポートできないと承知し、ISR活性化を制限する；
または、前記ISR活性化判断ネットソースは前記SGSNであり、前記SGSNはターミナルMS/MUがルーティングエリア更新請求メッセージにて携帯された情報を通じて取得した前記SGsとGs関連情報によって、MMEが既に当該ターミナルMS/UEのためにSGsアソシエイトを構築したことを承知し、聯合更新のプロセスにてISR活性化を制限する。
【発明の詳細な説明】
【技術分野】
【０００１】
本発明は通信分野に関し、特にアイドルモードにおけるシグナリング節約機能の活性化判断方法及びそのシステムに関するものである。
【背景技術】
【０００２】
従来、第三世代パートナーシッププロジェクト(3rd Generation Partnership Project、3GPPと略称する)の標準化作業グループはパケットスイッチコアネットワーク(Packet Switched Core、PS Coreと略称する)と通用モバイル通信システム無線アクセスネットワーク(Universal Mobile Telecommunication System Radio Access Network、UTRANと略称する)に対する進化の研究に専念し、目的は進化するPS Coreがより高い伝送レート、より短い伝送遅延を提供させ、それに、進化するUTRAN(Evolved UTRAN、E-UTRANと略称する)をサポートし、グローバルモバイル通信システム強化型データレートのグローバルモバイル通信システム進化技術無線アクセスネットワーク(Global System for Mobile communications Enhanced Data Rate for GSM Evolution radio access network、GERANと略称する)、UTRAN、無線ローカルエリアネットワーク(WirelessLocal Area Network、WLANと略称する)及びほかの非3GPPのアクセスネットワークの間の移動性管理をサポートさせる。この進化するモバイル通信システムは進化するパケットシステム(Evolved Packet System、EPSと略称する)と称される。図1は上記システムの架構図であり、その中、本発明と関係ある一部分の実体だけを示している。図1の各実体を以下のように説明する：
モバイルステーション(Mobile Station、MSと略称する)/ユーザー設備(User Equipment、UEと略称する)、ターミナルとも称され、二種類の無線ネットワークにアクセスする能力を有するターミナルは、デュアルモードターミナルと称され、多種類の無線ネットワークにアクセス能力を有するターミナルはマルチモードターミナルと称される。後続の説明に、UEはグローバルモバイル通信システム(Global System for Mobile Communication、GSMと略称する)/通用モバイル通信システム(Universal Mobile Telecommunication System、UMTSと略称する)とEPSネットワークにアクセスできるデュアルモード又はマルチモードターミナルであり、かつMS/UEが統一的にUEを代表として使う。
【０００３】
E-UTRAN 102、進化する無線アクセスネットワークであり、上りと下りのより高いレート、より低い伝送遅延とより信頼できる無線伝送を提供できる。E-UTRANに含むネットソースは進化するノードB(Evolved NodeB、eNodeBと略称する)であり、ターミナルのアクセスに無線リソースを提供する。
【０００４】
サービスゲートウェイ(Serving Gateway、S-GWと略称する)とパケットデータネットワークゲートウェイ(Packet Data Network Gateway、PDN GW又はP-GWと略称する)103、サービスゲートウェイはユーザー面実体であり、ユーザー面データのルーティング処理を担当する。パケットデータネットワークゲートウェイはUEがパケットデータネットワーク(Packet Data Network、PDNと略称する)のゲートウェイにアクセスする機能を担当する。P-GWとS-GWは同一物理実体に設置してよく、図1の示すように、それぞれ違う物理実体に設置してもよい。
【０００５】
移動性管理実体(Mobility Management Entity、MMEと略称する)104、制御面実体であり、ユーザーデータを一時的にストレージするサーバーであり、UEコンテキスト(例えば、UEのID/ユーザーID、移動性管理状態、ユーザーのセキュリティパラメータなど)の管理とストレージを担当し、ユーザーに一時的なIDを分配し、UEが当該トラッキングエリア又は当該ネットワークに駐留する場合に、当該ユーザーに対する認証を担当する。
【０００６】
IP(Internet Protocol、インターネット協議)マルチメディアサブシステム(IP Multimedia Subsystem、IMSと略称する)は3GPPから提出するIPに基づくネットワーク架構であり、オープンで柔軟なサービス環境を構築し、マルチメディアの応用をサポートし、それにユーザーに豊かなマルチメディアサービスを提供する。IMSはIPに基づく電信ネットワーク架構であり、アクセス技術と関係なく、EPS、通用パケット無線サービス(General Packet Radio Service、GPRSと略称する)、無線ローカルエリアネットワークなどのパケットアクセスネットワークにサービスを提供できるほか、GSM、UMTSなどのモバイルセルラーネットワークにもサービスを提供できる。
【０００７】
GERAN/UTRAN 105、従来GSM/UMTSネットワークの無線アクセスネットワークである。
【０００８】
モバイルスイッチングセンター(Mobile Switching Center、MSCと略称する)/ビジターロケーションレジスタ(Visitor Location Register、VLRと略称する)106、MSC/VLRは3GPP R4(Release 4)ステップ後の新機能実体MSC Serverであってもよく、後続の説明には、統一的にMSC/VLRで代表する。
【０００９】
ゲートウェイモバイルスシッチングセンター(Gateway Mobile Switching Center、GMSCと略称する)107である。
【００１０】
GPRSサービスサポートノード(Serving GPRS Support Node、SGSNと略称する)108、GPRSネットワークの制御ネットソースであり、主な作用はUEのロケーション情報を記録し、それにUEとGPRSゲートウェイサポートノード(Gateway GPRS Supporting Node、ＧGSNと略称する)の間にモバイルパケットデータの送信と受信を完成する。
【００１１】
UEがGSM/UMTSネットワークにアクセスする場合、ユーザーの基本音声サービス、ショートメッセージサービス及び音声サービスに基づく補充サービスは回線交換 (Circuit Switched、CSと略称する) ドメインを通じて提供され、図1のMSC/VLR、GMSCがCSドメインネットソースに属し、ユーザーはCSドメインを通じて、本ネットワーク内或いはほかのネットワーク(例えば、固定電話のネットワーク、ほかのモバイルネットワーク)のユーザーと音声通話などのサービスを利用できる。ユーザーのIPサービスはパケットスイッチング(Packet Switched、PSと略称する)ドメインを通じて提供される。図1のSGSNはPSドメインに属する。ユーザーはPSドメインを通じてパケットデータネットワークにアクセスし、図1における運営業者IPネットワークはパケットデータネットワークである。
【００１２】
GSM/UMTSネットワークにて、UEはそれぞれCSとPSの更新付着を行うことができ、それぞれにCSとPSドメインにアクセスすることができる。UEがそれぞれCSとPSの更新付着する場合、UEがそれぞれにGERAN/UTRAN(GERANとUTRANを表示する)にロケーションエリア更新(Location Area Update、LAUと略称する)請求とルーティングエリア更新(Routing Area Update、RAUと略称する) 請求のメッセージを送信する。GERAN/UTRANはLAU請求メッセージを受信してから、A/IU-CSインタフェースを通じて、LAU請求メッセージをMSC/VLRに送信し、MSC/VLRがLAU請求メッセージを受信してから、CSドメインの更新付着プロセスを行う。GERAN/UTRANはRAU請求メッセージを受信し、Gb/IU-PSインタフェースを通じて、RAU請求メッセージをSGSNに送信し、SGSNがRAU請求メッセージを受信してから、PSドメインの更新付着プロセスを行う。CSドメインとPSドメインがそれぞれに更新する方式はそれぞれ無線リソースの占用とシグナリング交換が必要となる。
【００１３】
移動性管理シグナリングオーバーヘッドと無線リソース占用を節約するため、GPRSにて、MSC/VLRとSGSNの間にGsインタフェースを導入する。GsインタフェースはMSC/VLRとSGSNの間にGsアソシエイト関係(即ち、SGSNにVLR番号を保存し、VLRにSGSN番号を保存する)を構築することに利用され、それにGsアソシエイト関係を構築してから、MSC/VLRがPSドメインを通じてCSサービスのページングを被呼ユーザーのUEに送信する。
【００１４】
Gsアソシエイト関係は聯合のルーティングエリア/ロケーションエリアの更新を通じて構築したものである。聯合のルーティングエリア/ロケーションエリア更新とは、同時にGSM/UMTSネットワークCSとPSドメインに付着するUEがルーティングエリア更新をサポートする場合、UEがルーティングエリア更新メッセージに一つのIDを携帯し、SGSNがルーティングエリア更新を行う場合、ネットワークがGsインタフェースをサポートすると判断すれば、MSC/VLRにロケーション更新メッセージを送信して、CSドメインロケーション更新プロセスをトリガーすることであって、これによって、PSドメインルーティングエリア更新プロセスにて一つのCSドメインエリア更新プロセスを含み、聯合のルーティングエリア/ロケーションエリア更新を終了してから、SGSNとVLRの間にGsアソシエイト関係を構築することになる。
【００１５】
MSC/VLRがA/IU-CSインタフェースからロケーションエリア更新の請求メッセージを受信する場合、Gsアソシエイト関係情報は削除されることになり、MSC/VLRにCSドメインのロケーションエリア情報を保存する。
【００１６】
UEが既にGSM/UMTSネットワークCSドメインとPSドメインに付着され、かつGsアソシエイト関係を構築してから、MSC/VLRがSGSNを通じてCSサービスのページングを実現する。例えば、UEが属するユーザーは被呼ユーザーとして本ネットワーク又はほかのネットワークのユーザーに呼ばれ、ファイナルコールする場合、MSC/VLRがGsインタフェースを通じてSGSNにCSページング請求メッセージを送信する。SGSNがCSページング請求メッセージを受信してから、CSページングのプロセスを開始して、CSサービスのページングメッセージをUEに伝送する。UEがCSサービスのページングメッセージを受信してから、GSM/UMTSネットワークのCSドメインからアクセスし、GERAN/UTRANを通じてMSC/VLRに一つのCSページング応答メッセージを送信する。CSページング応答メッセージを受信してから、MSC/VLRとUEの間にコールセットアップのプロセスを行う。コールセットアップを完成してから、UEが属するユーザーはコールを発起したユーザーと通話できるようになる。
【００１７】
なお、UEが聯合のRAUとLAUをサポートするかどうかはオプショナルであり、UEが同時にCSドメインとPSドメインの作業をサポートする能力の違いによって、UEをA、B、C三種類のターミナルに分けて、A類とB類のターミナルのみが聯合のRAU/LAUをサポートする。それに、SGSNとMSC/VLRがGsインタフェースをサポートするかどうかはオプショナルであり、あるMSC/VLRとSGSN製品がGsインタフェースをサポートしないことで、あるGSM/UMTSネットワークにてCSドメインとPSドメインが同時に存在するが、Gsインタフェースを配置しなく、UEがCSドメインとPSドメインにそれぞれ更新付着を行い、CSサービスのページングがA/IU-CSインタフェースを通じて行う。
【００１８】
GSM/UMTSネットワークにて、MSC/VLRがファイナルコールする場合、UEがA/IU-CSインタフェースにてサービス中と判断すれば、MSC/VLRがUEをページングする必要はなく、直接にA/IU-CSインタフェースに既存のシグナリング接続を通じて、UEと交互する。さもないと、Gsアソシエイトが存在する場合、MSC/VLRがGsインタフェースを通じて、CSサービスのページングを行う；Gsアソシエイトが存在しない場合、MSC/VLRがA/IU-CSインタフェースを通じて、CSサービスのページングを行う。
【００１９】
UEがEPSネットワークにてアクセスする場合、ユーザーの基本音声サービス及び音声サービスに基づく補充サービスはIMSで制御され、EPSシステムそのものは音声コールサービスの提供と制御ができなく、IPデータのベアラーのみを提供できる。ただし、EPSネットワークを配置する場合、ある運営業者はGSM/UMTSネットワークが既にカバレッジした重点エリアのみにEPSネットワークを配置し、ユーザーのためにハイスピードのIPデータサービスを提供し、IMSを配置しなく、このような場景で、音声コールサービスが既に全面的にカバレッジしたGSM/UMTSネットワークのCSドメインを通じて、かつそれだけを通じて、提供することを希望する。UEがEPSネットワークにアクセスする場合、単一アクセスであるので、UEがGSM/UMTSにおらなく、GSM/UMTSネットワークを通じてCSサービスページングの受信及びCSサービスの開始を行うことができなく、こうして、ユーザーが音声コール、ショートメッセージなどのCSサービスを行えなくなる。このようなネットワーク配置の場景でCSサービスを実現するために、3GPPが回線交換ドメインフォールバック(CS FallBack、CSFBと略称する)課題を構築して、解決案を研究する。
【００２０】
従来のCSFB解決案は：MMEとMSC/VLRの間にSGsインタフェースを導入し、SGsがGsインタフェースに基づいて拡張する。UEがEPSネットワークにアクセスする場合、UEがCSFB付着或いは聯合のトラッキングエリア更新(Tracking Area Update、TAUと略称する)とLAUを行い、MMEとMSC/VLRの間にSGsアソシエイト関係(MMEにMSC/VLR番号又はアドレス情報を保存して、MSC/VLRにMME番号又はアドレス情報を保存する)を構築する。つづき、UEがEPSネットワークにて移動する場合、UEの最新ロケーション情報はMMEに更新されることになり、ロケーションエリア又はMMEが変われば、MSC/VLRに保存する情報も直ちに更新されることになる。
【００２１】
MSC/VLRがA/IU-CSインタフェースからロケーションエリア更新請求メッセージを受信する場合、SGsアソシエイト関係情報は削除され、MSC/VLRに今回ロケーションエリア更新請求メッセージに携帯されたCSドメインのロケーションエリア情報を保存する。
【００２２】
CSサービスのたとえ音声ファイナルコールをする場合、被呼ユーザーのUEがEPSネットワークにてアクセスすれば、MSC/VLRがコールを受信して、SGsインタフェース通じてCSページングをMMEに送信し、MMEがCSページングメッセージを受信してから、EUTRANを通じてCSページングをUEへ送信し、UEをページングすると、回線交換ドメインフォールバックのコールを開始する。回線交換ドメインフォールバックをしてから、UEがGSM/UMTS CSドメインからアクセスし、MSC/VLRにCSページング応答メッセージを送信し、MSC/VLRが応答メッセージを受信してから、コールの構築と通話プロセスを開始する。
【００２３】
アイドルモードにおけるシグナリング節約（Idle-mode Signaling Reduction, ISRと略称）を導入されていない場合、CSサービスをするとき、MSC/VLRはいつもVLRに保存するSGs、Gs又はA/IU-CS情報を通じてUEをページングできる。
【００２４】
ISRを導入してかつISR活性化にて、MSC/VLRとMMEがCSFB機能をサポートするためにSGsインタフェースをサポートするが、SGSNとMSC/VLRの間にGsインタフェースをサポートしなく、UEがEPSネットワークにてアクセスする場合、従来技術に基づいてMSC/VLRがCSサービスをするとき、図3の示す場景でUEをページングできない。次は、図2と図3を結合して、ISRの関連概念、活性化プロセスとCSページングに存在する問題を説明する。
【００２５】
ISRはUEのアイドルモードにおける無線アクセス技術の間セル再選択によってもたらすシグナリング荷重を削減するメカニズムである。UEがGSM/UMTSネットワークとEPSネットワークのデュアルカバレッジエリアにてアイドルモードになる場合、モバイル又は無線シグナル強度の変化などの原因によって、GSM/UMTSとEPSアクセス方式の間に頻繁に切り替えて、次々とルーティングエリアの更新(UEがGSM/UMTSネットワークPSドメインにてロケーションを更新するプロセス)とトラッキングエリア更新(UEがEPSネットワークにてロケーションを更新するプロセス)を行う必要があるので、大量のシグナリング交換をもたらす。上記シグナリング交換プロセスがネットワークにもたらすシグナリング荷重を削減するために、3GPPにおいてISR解決案の主な思想は、UEとネットワークがともにISR機能をサポートする場合、SGSNとMMEはともにユーザーコンテキスト情報を保存し、UEにもこの二つのネットワークにおける登録情報を保存し、こうして、後続のUEがネットワークの間で切り替えるときに、TAUとRAUのプロセスを行わなく、即ち、後続UEがGSM/UMTSとEPSネットワークの間で移動する場合、UEのルーティングエリア(GSM/UMTSネットワークPSドメインUEのロケーション情報)とトラッキングエリアリスト(EPSネットワークUEのロケーション情報)が既に登録された場合、UEがルーティングエリア更新とトラッキングエリア更新を発起しなく、したがって、UEがネットワークとの接続を構築していない場合、ネットワークはUEが目前EPSネットワーク又はGSM/UMTSネットワーク、どっちにおかれているかをわからない。
【００２６】
ISR活性化は、UEとネットワークがともにISR機能をサポートする場合にて、UE中にはEPSとGSM/UMTS PS二つのネットワークにおける登録情報とISR活性化IDを保存し、MMEとSGSNがユーザーの情報とISR活性化IDの状況を同時に保存することである。ISRが活性化にされていないことは、UE中にEPS又はGSM/UMTS PSのアクセス登録情報のみを保存し、MME又はSGSNだけにユーザー情報の保存する状況である。
【００２７】
従来技術にTAU又はRAUプロセスにおけるISRの活性化プロセスは、図2のように示す。図2に、ただISRの関連プロセスを含み、TAU又はRAU中のほかのシグナリング交換プロセスは省略される。本発明の後続の図面とプロセスの説明にも、本発明と関連するプロセスとパラメータのみを描いて、ほかのプロセスとパラメータなどを省略する。図2の示すプロセスは以下のように：
201：UEがMME/SGSNに更新請求TAU/RAUメッセージを送信し、メッセージにおけるターミナルのネットワーク能力パラメータにターミナルのISR能力を含む；
202：TAU又はRAUプロセスにて、MME/SGSNがコンテキスト請求側としてコンテキスト請求の応答側SGSN/MMEにコンテキスト請求を送信する；
203：SGSN/MMEがコンテキスト請求応答側としてコンテキスト請求側MME/SGSNにコンテキスト応答を送信し、その中自己のISR能力を携帯する；
204：コンテキスト請求側がコンテキスト応答メッセージを受信後、ターミナルとネットワークがISR機能をサポートするかどうかなどのISR活性化判断条件(当該判断条件にまた：S-GWが変わるかどうか、変わればISRを活性化にしないのがふくまれる)によって、ISRを活性化にさせるかどうかと判断し、コンテキスト応答メッセージにてISR活性化ID情報を通じてコンテキスト請求応答側SGSN/MMEに目前ISRを活性化にするかどうかと知らせる。コンテキスト請求応答側SGSN/MMEがコンテキスト応答メッセージを受信後、その中のISR活性化ID情報によって、ISRを活性化にするかどうかと承知する。
【００２８】
205：MME/SGSNはUEに更新受け付けるメッセージを送信し、その中ISR活性化ID情報を携帯する。UEが更新受け付けるメッセージを受信して、その中のID情報によってISRを活性化にするかどうかと承知する。
【００２９】
その中、ISR活性化ID情報は多種類の実施方式がありえる。例えば、ISR活性化IDを携帯してISRを活性化にすると示し、ISR活性化IDを携帯しないことでISRを活性化にしないと示す；或いは、ISR活性化ID値が1であれば、ISRを活性化にすると示し、0であれば、ISRを活性化にしないと示す。
【００３０】
図3はMSC/VLRがCSサービスのページングをするとき、存在問題の場景を示した図である。図3に示す場景で、MSC/VLRとMMEの間にSGsインタフェースをサポートし、SGSNとMSC/VLRの間にGsインタフェースをサポートしなく、UEとネットワークがISR機能をサポートし、ISRを活性化にする。
【００３１】
図3に示すステップ一に、UEがEPSネットワークにてアクセスし、CSFB付着(attach)又は聯合のTAUとLAUプロセスを行う。CSFB付着はUEがEPSに送信する付着請求メッセージに携帯するCSFB指示情報であり、MMEが付着請求メッセージを受信後、EPSネットワークの付着プロセスを行い、同時にMMEがMSC/VLRにロケーション更新請求メッセージを送信して、UEがCSドメインにおける更新プロセスを完成する。当該プロセスに、MMEがユーザー目前のトラッキングエリアID(Tracking Area Identity、TAIと略称する)などの情報によって、トラッキングエリアリストを生成し、それに付着受け付けるメッセージにてトラッキングエリアリストをUEに運び、UEが付着受け付けるメッセージを受信後、トラッキングエリアリストを保存し、それにUEがEPSネットワークにて既に更新したIDを設置する。CSFB付着プロセス完了後に、UEがEPSネットワークとGSM/UMTS CSドメインにすでに登録し、VLR中にMME情報を保存し、MME中にMSC/VLR情報を保存し、MSC/VLRとMMEの間にSGsアソシエイトを構築する。聯合のTAUとLAUプロセスは上記プロセスと類似であるので、ここで詳しく説明しない。
【００３２】
図3に示すステップ二に、UEがEPSネットワークからGSM/UMTSネットワークのカバレッジ範囲まで移動する場合、シグナル品質などの原因で、UEがGSM/UMTSネットワークからアクセスし、SGSNとMSC/VLRの間にGsインタフェース又はターミナルが聯合のルーティングエリアとロケーションエリアの更新をサポートしないので、聯合更新を行えなく、UEがそれぞれRAUとLAUを行う。図3の示すように、SGSNがGb/IU-PSインタフェースからRAUメッセージを受信し、MSC/VLRがA/IU-CSインタフェースからLAUメッセージを受信する。RAUを行う場合、SGSN、MMEとUEはすべてISR機能をサポートするので、ISRを活性化にして、MMEがユーザーのコンテキストなどのデータを続けて保存し、SGSNがルーティングエリア更新受け付けるメッセージにてISR活性化情報をUEへ携帯し、UEが当該メッセージを受信して、自己がEPSネットワークとGSM/UMTSネットワークPSドメインにてすべて登録したと標識し、ルーティングエリア更新完成後、ISRを活性化にして、UEがGSM/UMTSネットワークPSドメインとEPSネットワークにて既に登録した。MSC/VLRがA/IU-CSインタフェースからLAUメッセージを受信して、従来技術の規定によって、SGsアソシエイトを削除して、MSC/VLRに今回ロケーション更新が運携帯するロケーション情報のみを保存することになる。
【００３３】
後続に、UEがGSM/UMTSネットワークからEPSネットワークまで移動する場合、UEが目前所在するトラッキングエリアが既に登録したトラッキングエリアリストの範囲におるかぎり、UEがTAUプロセスを発起することがなく、MSC/VLRにSGsアソシエイト関係情報がない。UEが図3に示すステップ一に既に登録したトラッキングエリアリストの範囲内におる場合、UEが所属のユーザーは一つのコールがあり、かつ当該ユーザーが被呼ユーザーであり、MSC/VLRがページングを行う必要がある場合、MSC/VLRにSGsアソシエイト関係情報がないので、MSC/VLRはA/IU-CSインタフェースのみを通じて、GSM/UMTSネットワークにてUEをページングすることになり、SGsインタフェースを通じてEPSネットワークにてCSページングを発起することがなく、ただし、UEがこのときEPSネットワークのみにてアクセスし、GSM/UMTSネットワークCSドメインにてページングできないから、MSC/VLRがUEをページングできなく、即ち、UEが所属するユーザーはこのような状況でCSコールを受信できない。目前、上記問題の解決方案はまだない。それ以外、従来技術に、ターミナルとネットワークがGsインタフェースをサポートする場合、MSC/VLRとMME/SGSNの間にSGsまたは Gsアソシエイト中のひとつだけを構築する。MSC/VLRとMMEの間にSGsアソシエイトを構築し、UEがアイドルモードにおけるかつISRが活性化の場合、SGSNにCSページングを行うと知らせるために、MMEがMSC/VLRから受信したCSサービスページングメッセージをS3インタフェースを通じてSGSNに転送する必要がある。同様に、MSC/VLRとSGSNの間にGsアソシエイトを構築し、UEがアイドルモードにおけるかつISRが活性化の場合、SGSNがCSサービスページングメッセージをMMEに転送する必要がある。行うCSサービスがショートメッセージである場合、UEがEPSネットワークにてアクセスするとき、ショートメッセージサービスはGSM/UMTSネットワークにフォールバックする必要はなく、MSC/VLRとMMEの間のSGsインタフェース及びEPSネットワークを通じて転送するから、UEがアイドルモードにおける場合、ISR活性化、MSC/VLRとSGSNの間にGsアソシエイト活性化場合、SGSNはMSC/VLRから目前がショートメッセージサービスのページングであることを承知し、かつMMEに当該情報を知らせる必要があり、MMEがこのような状況で、MSC/VLRとのSGsアソシエイトを改めて構築して、ショートメッセージを伝送すべきである。ショートメッセージなどのサービスを実現するには、Gsインタフェースの修正を要求され、それにMMEの処理複雑度を増加する。
【発明の概要】
【発明が解決しようとする課題】
【００３４】
本発明が解決しようとする技術課題は、従来技術の不足を克服し、アイドルモードにおけるシグナリング節約機能活性化の判断方法及びシステムを提供し、したがって、特定の場景でISR機能の活性化を制限して、ISR機能を導入してから、MSC/VLRがUEをページングできない問題を解決する。
【課題を解決するための手段】
【００３５】
上記問題を解決するには、本発明がアイドルモードにおけるシグナリング節約機能活性化の判断方法を提供し、当該方法は以下の内容を含み：
ISR機能活性化のプロセスには、ISR活性化判断ネットソースがターミナルとネットワークのISR能力、及びSGsとGs関連情報を承知する；
前記ISR活性化判断ネットソースは承知した前記SGsとGs関連情報によって、ターミナルとネットワークがISR活性化条件を満足する特定の場景でISR機能の活性化を制限する；
その中、前記ISR活性化判断ネットソースは移動性管理実体MME又は通用無線パケット業務サービスサポートノードSGSN中の一つである。
【００３６】
本発明の方法における前記SGsとGs関連情報は、SGs/Gsインタフェースをサポートするかどうか；またはSGs/Gs関連を構築するかどうか；またはS3インタフェースで回線交換ドメインCS業務ページングメッセージを転送するかどうか；または上記各項の組合せである。
【００３７】
前記方法はさらに以下の内容を含み：前記ISR活性化判断ネットソースは静的配置方式で前記SGsとGs関連情報の取得できる。また、前記方法はさらに以下の内容を含み：前記ISR活性化判断ネットソースはその上に配置した前記SGsとGs関連情報によって、SGsとGsのインタフェースを同時にサポートできないことを承知する場合、ISR活性化を制限する。前記方法はさらに以下の内容を含み：前記ISR活性化判断ネットソースはSGSN であり、前記SGSNはその上に設置した前記SGsとGs関連情報により、MMEがSGsインタフェースをサポートする方式にて動作することを承知する場合、聯合更新のプロセスにてISR活性化を制限する。前記方法はさらに以下の内容を含み：前記ISR活性化判断ネットソースはMMEとSGSNのあいだにて回線交換ドメインCSサービスをサポートできないページングメッセージを承知すれば、聯合更新のプロセスにてISR活性化を制限する。
【００３８】
本発明の方法に前記ISR活性化判断ネットソースはコンテキスト応答メッセージを通じて、コンテキスト請求応答側ネットソースからSGsとGs関連情報を取得できる；その中、SGsとGs関連情報はSGsとGsインタフェースをサポートするかどうかであり；前記SGsとGs関連情報は一つの情報フィールドを新しく増加すること、また、既存のフィールドを拡張することによって実現できる。前記方法はさらに以下の内容を含み：前記ISR活性化判断ネットソースはコンテキスト応答メッセージから取得したSGsとGs関連情報によって、SGsとGsインタフェースを同時にサポートできないと承知すると、ISR活性化を制限する。前記方法はさらに以下の内容を含み：前記ISR活性化判断ネットソースはSGSNであり、前記SGSNがコンテキスト応答メッセージから取得したSGsとGs関連情報によって、MMEがSGsインタフェースをサポートする方式にて動作することを承知すると、聯合更新のプロセスにてISR活性化を制限する。
【００３９】
本発明の方法にて、前記ISR活性化判断ネットソースはコンテキスト応答メッセージを通じて、コンテキスト請求応答ネットソースからSGsとGsアソシエイトをすでに構築したかどうかの情報を取得できる；その中、前記構築前記情報は一つの情報フィールドを新しく増加すること、または、既存のフィールドを拡張することによって実現できる。前記方法はさらに以下の内容を含む：前記ISR活性化判断ネットソースはコンテキスト応答メッセージから取得したSGsとGsアソシエイトをすでに構築したかどうかの情報によって、SGsアソシエイト又はGsアソシエイト中の一種しかをサポートできないと承知すれば、ISR活性化を制限する。また、前記方法はさらに以下の内容を含み：前記ISR活性化判断ネットソースはSGSNであり、前記SGSNがコンテキスト応答メッセージから取得したSGsとGsアソシエイトをすでに構築したかどうかの情報によって、MMEが既に当該ターミナルのためにSGsアソシエイトを構築したことを承知すれば、聯合更新のプロセスにてISR活性化を制限する。
【００４０】
本発明の方法には、前記ISR活性化判断ネットソースはターミナルUEがルーティングエリア又はトラッキングエリアの更新請求メッセージに携帯された情報によって、UEが前回接続した無線アクセスシステムにて既にSGs/Gsアソシエイト関係を構築したかどうかの情報を取得できる。構築当該情報は一つの情報フィールドを新しく増加すること、また、既存のフィールドを拡張することによって実現できる。前記方法はさらに以下の内容を含み：前記ISR活性化判断ネットソースはターミナルUEが受信したルーティングエリア又はトラッキングエリアの更新請求メッセージから取得したUEが前回接続した無線アクセスシステムにて既にSGs/Gsアソシエイト関係を構築したかどうかの情報により、SGsアソシエイト又はGsアソシエイトの中の一種しかをサポートできないと承知すれば、ISR活性化を制限する。また、前記方法はさらに以下の内容を含み：前記ISR活性化判断ネットソースは前記SGSNであり、前記SGSNはターミナルUEから受信したルーティングエリア更新請求メッセージにより、MMEが既に当該ターミナルのためにSGsアソシエイトを構築したことを承知すれば、聯合更新のプロセスにてISR活性化を制限する。前記方法はさらに以下の内容を含み：UEが前回アクセスした無線アクセスシステムにSGs/Gsアソシエイト関係を既に構築したかどうかの情報は多種類の実施方式があり、UEがSGs/Gsアソシエイト関係を構築するかどうかを明確に示す方式； UEが回線交換ドメインフォールバックCSFB機能があると指示し、且つネットワーク或いはUE規定によってCSFB機能を活性化するする場合のみに当該情報を携帯し、この方式を通じてターミナルがSGsアソシエイトをすでに構築したとネットワークに知らせる。
【００４１】
上記問題を解決するため、本発明はまたアイドルモードにおけるシグナリング節約ISR機能活性化の判断システムを提供し、当該システムは以下の内容を含み：
ISR活性化判断ネットソースは、ISR機能の活性化プロセスにて、ターミナルとネットワークのISR能力及びSGsとGs関連情報を承知することに利用される；
その中、前記ISR活性化判断ネットソースはまた承知した前記SGsとGs関連情報によって、前記ターミナルとネットワークがISR活性化条件を満たす特定の場景でISR機能の活性化を制限することにりようされる；
その中、前記ISR活性化判断ネットソースは移動性管理実体MME又は通用無線パケット業務サービスサポートノードSGSNの中の一つである。
【００４２】
本発明の判断システムには、前記ISR活性化判断ネットソースは前記SGsとGs関連情報を静的に配置し、前記ISR活性化判断ネットソースは前記SGsとGs関連情報から同時にSGsとGsインタフェースをサポートできないと承知し、ISR活性化を制限する。
【００４３】
上記判断システムはさらに以下の内容を含み：前記ISR活性化判断ネットソースはSGSNであり、前記SGSNはその上に設置する前記SGsとGs関連情報によってMMEがSGsインタフェースをサポートする方式にて承知し、聯合更新のプロセスにてISR活性化を制限する。
【００４４】
上記判断システムはさらに以下の内容を含み：前記ISR活性化判断ネットソースはMMEであり、前記MMEにはS3インタフェースでCSページングメッセージを転送することをサポートしない前記SGsとGs関連情報が静的に配置され、前記MMEが前記SGsとGs関連情報からMMEとSGSNの間にサキットドメインCS業務のページングメッセージの転送をサポートできないことを承知し、聯合更新のプロセスにてISR活性化を制限する。
【００４５】
本発明に記載の判断システムには、さらにコンテキスト請求応答ネットソースを含み、前記ISR活性化判断ネットソースはコンテキスト応答メッセージを通じて前記コンテキスト請求応答ネットソースから前記SGsとGs関連情報を取得し、その中、前記SGsとGs関連情報はSGsとGsインタフェースをサポートするかどうかの情報である；前記SGsとGs関連情報は一つの情報フィールドを新しく増加すること、または、既存のフィールドを拡張することによって実現する。
【００４６】
上記判断システムはさらに以下の内容を含み：前記ISR活性化判断ネットソースはコンテキスト応答メッセージを通じて取得した前記SGsとGs関連情報によって、SGsとGsインタフェースを同時にサポートできないと承知し、ISR活性化を制限する。
【００４７】
上記判断システムはさらに以下の内容を含み：前記ISR活性化判断ネットソースはSGSNであり、前記SGSNがコンテキスト応答メッセージを通じて取得した前記SGsとGs関連情報によって、MMEがSGsインタフェースをサポートする方式で動作することを承知し、聯合更新のプロセスにてISR活性化を制限する。
【００４８】
本発明に記載の判断システムは、その中さらにコンテキスト請求応答ネットソースを含み、前記ISR活性化判断ネットソースがコンテキスト応答メッセージを通じてコンテキスト請求応答ネットソースから前記SGsとGs関連情報を取得する。その中、前記SGsとGs関連情報はSGsとGsアソシエイト情報を既に構築したかどうかの情報であり；前記SGsとGs関連情報は一つの情報フィールドを新しく増加すること、または、既存のフィールドを拡張することによって実現する。
【００４９】
上記判断システムはまたさらに以下の内容を含み：前記ISR活性化判断ネットソースはコンテキスト応答メッセージを通じて取得した前記SGsとGs関連情報によって、SGsアソシエイト又はGsアソシエイトの中の一種しかをサポートできないと承知し、ISR活性化を制限する。
【００５０】
上記判断システムはまたさらに以下の内容を含み：前記ISR活性化判断ネットソースはSGSNであり、前記SGSNはコンテキスト応答メッセージを通じて取得した前記SGsとGs関連情報によって、MMEが既に当該ターミナルのためにSGsアソシエイトを構築したことを承知し、聯合更新のプロセスにてISR活性化を制限する。
【００５１】
本発明に記載の判断システムはさらにターミナルとコンテキスト請求応答ネットソースをふくみ、前記ISR活性化判断ネットソースは前記ターミナルUEがルーティングエリア又はトラッキングエリアの更新請求メッセージに携帯された情報によって、前記SGsとGs関連情報を取得する；その中、前記SGs/Gs関連情報はUEが前回接続した無線アクセスシステム中に既にSGs/Gsアソシエイト関係を構築したかどうかの情報であり、前記SGs/Gs関連情報は一つの情報フィールドを新しく増加すること、または、既存のフィールドを拡張することによって実現する。
【００５２】
上記判断システムはまたさらに以下の内容を含み：前記ISR活性化判断ネットソースはターミナルUEがルーティングエリア又はトラッキングエリアの更新請求メッセージに携帯した情報を通じて取得した前記SGsとGs関連情報のより、SGsアソシエイト又はGsアソシエイトの中の一種しかをサポートできないと承知し、ISR活性化を制限する。
【００５３】
上記判断システムはまたさらに以下の内容を含み：前記ISR活性化判断ネットソースはSGSNであり、前記SGSNはターミナルUEがルーティングエリアの更新請求メッセージに携帯された情報を通じて取得した前記SGsとGs関連情報によって、MMEが既に当該ターミナルのためにSGsアソシエイトを構築したことを承知し、聯合更新のプロセスにてISR活性化を制限する。
【発明の効果】
【００５４】
本発明の方法及びシステムを利用することで、ISR機能を導入してから、MSC/VLRがUEをページングできない可能性がある問題を解決し、各状況でもMSC/VLRが正確に回線交換ドメインページングを行え、かつUEをページングできることと保証すし；本発明の方法及びシステムはMSC/VLRへの影響が一番小さく、実現簡単、CSFB機能とEPSネットワークの応用に有利である。
【図面の簡単な説明】
【００５５】
ここで説明する図面は本出願の一部分として本発明のさらなる理解を提供し、本発明の合図する実施例及びその説明は本発明を解釈することに用いられ、本発明に対する不適当な限定にならない。図面において：
【図１】本発明が応用するネットワーク架構の図。
【図２】従来技術におけるISR活性化プロセスの図。
【図３】MSC/VLRがCSサービスページング行う時に残る問題の一つの場景の図。
【図４】本発明がアイドルモードにおけるシグナリング節約機能を活性化するかどうかの判断方法のプロセスの図。
【図５】本発明第二実施例がISRを活性化するかどうかの判断方法のプロセスの図。
【図６】UEがEPSネットワークにてアクセスするとき、触発するトラッキングエリア更新プロセス中ISR活性化に利用される本発明第二実施例のプロセスの図。
【図７】UEがGSM/UMTSネットワークにてアクセスするとき、触発するルーティングエリア更新プロセス中ISR活性化に利用される本発明第二実施例のプロセスの図。
【図８】本発明第二実施例が図3に示す場景で実施する場合のプロセスの図。
【図９】本発明第三実施例がISRを活性化するかどうかの判断方法のプロセスの図。
【図１０】UEがEPSネットワークにてアクセスするとき、触発するトラッキングエリア更新プロセス中ISR活性化に利用される本発明第三実施例のプロセスの図。
【図１１】UEがGSM/UMTSネットワークにてアクセスするとき、触発するルーティングエリア更新プロセス中ISR活性化に利用される本発明第三実施例のプロセスの図。
【図１２】本発明第三実施例が図3に示す場景で実施する場合のプロセスの図。
【図１３】本発明第四実施例がISRを活性化するかどうかを判断方法のプロセスの図。
【図１４】本発明第四実施例が図3に示す場景で実施する場合のプロセスの図。
【図１５】本発明実施例がアイドルモードにおけるシグナリング節約機能を活性化するかどうかを判断するのシステム構成の図。
【発明を実施するための形態】
【００５６】
上述から見えるが、ISRを活性化にしなければ、UEがGSM/UMTSネットワークからEPSネットワークまで移動した場合、いつも聯合のTAUとLAUプロセスを発起し、こうして、SGsアソシエイト関係を改めて構築することになる。UEがEPSネットワークにおる場合、MSC/VLRはいつもSGs関連情報によって、SGsインタフェースを通じてUEをページングし、したがって、MSC/VLRがいつもCSサービスのページングを正常に行えることを保証する。それゆえ、特定場景でISR機能の活性化を制限することによって、MSC/VLRがいつもUEをページングすることを確保でき、それにMSC/VLRがこのために修正する必要はない。
【００５７】
上記思想によって、本発明の主要的な技術手段は、従来技術にTAUとRAUプロセスにてISR活性化に関するプロセス及びISRを活性化するかどうか判断の標準を修正することによって、特定場景でISR活性化の制限を実現する。ISR活性化プロセスにて、ISR活性化判断ネットソース(MME或いはSGSN)はターミナルとネットワークのISR能力などのISR活性化判断条件によるとともに、また承知したSGsとGs関係情報によってISR機能を活性化にするかどうかを判断する。
【００５８】
以下は、図面と実施例を結合して本発明を詳しく説明する。
【００５９】
図4は本発明がアイドルモードにおけるシグナリング節約機能を活性化するかどうか判断の方法のプロセスの図である。図4の示すように、当該方法は以下の内容を含み：
402：ISR活性化判断ネットソースはターミナルとネットワークのISR能力などの情報、及びSGsとGsの関連情報を承知する；
404：ISR活性化判断ネットソースはターミナルとネットワークのISR能力などの情報、及びSGsとGsの関連情報によって、ISR機能の活性化できるかどうかを判断する。
【００６０】
上記方法は具体的に実施する場合、取得する情報と方法の違いによって、多種類の実施方式が有し、以下それぞれに紹介する。
【００６１】
〔第一実施例〕
ISR活性化判断ネットソース中に静的にSGs/Gs関連情報を配置する。ネットワークの能力(その中、EPSネットワークがCSFB(即ちSGsインタフェースをサポート)とISR機能をサポートするかどうか、SGSNがGsインタフェースとISR機能をサポートするかどうかを含み)によって、静的配置の方式でMMEと/またはSGSNにてSGsとGs関連情報を配置する。MMEと/またはSGSNがISR活性化判断ネットソースとする場合、その中の静的配置情報によって、ISR機能を活性化にするかどうかを決定する。
【００６２】
具体的に、MMEに以下の情報を配置する必要があり：接続のSGSNが目前Gsインタフェースをサポートする方式にて作動しているかどうか；MMEが目前SGsインタフェースをサポートする方式にて作動しているかどうか、及びISR機能をサポートするかどうか。SGSNに以下の情報を配置する必要があり：接続のMMEが目前SGsインタフェースをサポートする方式にて作動しているかどうか；SGSNが目前Gs方式にて作動しているかどうか、及びISR機能をサポートするかどうか。具体的に実施する場合、上記配置情報は同じ効果を達せるほかの配置項目でもよい。
【００６３】
上記配置情報を使って、ISR活性化の判断を行う方法は直接に図2に示すプロセスに応用されてもよく、区別はISR活性化判断ネットソース(MME/SGSN)がコンテキスト応答メッセージを受信してから、ISRを活性化にするかどうかを判断するとき、上記配置情報によってISRの関連側(SGSN/MME)がGs/SGsインタフェースをサポートするかどうか、及びISR活性化判断ネットソース(MME/SGSN)がSGs/Gsアソシエイト関係を構築するかどうか、を考慮する必要がある。
【００６４】
その中一つの実施方式は、MMEとSGSNがISRを活性化にするかどうかを判断する場合、ターミナルとネットワークのISR能力などのISR活性化判断条件、及びSGsインタフェースをサポートする場合Gsインタフェースをサポートするかどうかを判断する。SGsインタフェースをサポートし、Gsインタフェースをサポートしない場合、UEとネットワークがともにISR機能をサポートするなどのISR活性化条件を満足しても、ISR機能を活性化にしない。
【００６５】
本発明の第一実施例が図3に示す場景で実施するときのプロセスは、以下のようである：
ステップ一：UEがさきにEPSネットワークにてCSFBアクセス又は聯合のTAUとLAUを行う；
ステップ二：UEがGSM/UMTSネットワークに移動し、RAUを行うとき、UEはRAU請求メッセージにおけるUEのネットワーク能力パラメータにてUEがISR機能をサポートする情報を含む；RAU請求メッセージを受信してから、SGSNがコンテキスト請求メッセージを送信して、MMEからコンテキスト情報を取得する。MMEがコンテキスト応答メッセージにてISRをサポートする情報を携帯し；SGSNがコンテキスト応答メッセージを受信して、ISRを活性化するかどうかを判断するプロセスにて、ターミナルとネットワークがISR機能をサポートするかどうかなどのISR活性化判断条件を判断し、それに配置情報によってMMEがSGsインタフェースをサポートする方式にて作動していることを判定し、SGSNそのものがGsインタフェースをサポートしなく、Gsアソシエイトを構築できないので、ISRを活性化にしない；SGSNがMMEに送信するコンテキスト応答メッセージにISR活性化ID情報を携帯しない。SGSNがルーティングエリア更新の受け付けるメッセージにてISR活性化ID情報をUEに携帯しなく、UEがISRを活性化されていないと承知する；後続に、UEがEPSネットワークに移動するとき、聯合のTAUとLAUプロセスを開始する。
【００６６】
本発明の第一実施例及びその各種の変形は、ターミナルとネットワークがGsインタフェースをサポートしない状況に応用される以外、Gsインタフェースをサポートする各種のISR活性化判断場景にも応用される。例えば、
場景1、ショートメッセージなどのサービスを実現するときに、GsインタフェースとMMEへの影響を避けて、それにこれらのサービスを正常に行うことを保証するために、SGSNは連なるMMEがSGsインタフェースをサポートする方式にて作動しているかどうかを静的に配置し、SGSNがUEの聯合のRAU/LAUメッセージを受信するとき、ISR活性化判断のプロセスにおいて、SGSNはコンテキスト応答側のMMEがSGsインタフェースをサポートする方式にて作動していると判断すれば、SGSNはいつもISRの活性化を制限する。SGSNはMMEに送信するコンテキスト応答メッセージにISR活性化ID情報を携帯しなく、ルーティングエリア更新受け付けるメッセージにてISR活性化ID情報をUEに携帯しなく、UEはISRが活性化されていないと承知するので、後続にEPSネットワークに移動するとき聯合のTAUとLAUのプロセスを開始し、SGsアソシエイトを改めて構築し、ショートメッセージなどのサービスを正常に行えるように保証する。
【００６７】
具体的に実施するときに、上記実施例はSGSNが連なるMMEがSGsインタフェースをサポートする方式にて作動しているかどうかを不静的に配置し、人為的な規定またコード実現などの方式を通じて、すべてのSGSNと接続するMMEがSGsインタフェースをサポートすることをデフォルトし、SGSNが聯合のRAU/LAUメッセージを受信するとき、いつもISR活性化を制限し、SGSNがMMEに送信するコンテキスト応答メッセージにISR活性化ID情報を携帯しなく、聯合のルーティングエリア/ロケーションエリア更新受け付けるメッセージにISR活性化ID情報をUEに携帯しなく、UEはISRが活性化にされていないと承知し、後続にEPSネットワークに移動するとき、聯合のTAUとLAUプロセスを開始してSGsアソシエイトを改めて構築することになる。
【００６８】
場景2、ネットワーク配置のとき、あるMMEまたはSGSNがS3インタフェースからCSサービスページングメッセージを転送することをサポートしないかもしれないが、ならばCSサービスページングメッセージは関連のMMEとSGSNの間に伝送できない。例えば、MMEと接続する部分的ISR機能をサポートするSGSNがS3インタフェースからCSサービスページングメッセージの転送をサポートしなければ、SGsアソシエイトを活性化にするとき、ISRを活性化、UEがアイドルモードにおいてEPSネットワークからGSM/UMTSネットワークに移動し、ルーティングエリアとロケーションエリアが変化されていない場合、UEが更新プロセスを開始することなく、MMEがCSサービスページングメッセージをSGSNに転送できなく、で、UEがGSM/UMTSネットワークにてアクセスするとき、MSC/VLRはCSサービスページングをUEに送信することができない。こんな状況でCSページングを正常に行うために、MMEにおいて連なるSGSNとの間のSGsとGs関連情報を静的に配置することができ、当該関連情報はS3インタフェースをサポートしない(S3インタフェースがCSサービスページング情報を転送することにおいて、SGSNにとってGsインタフェースに相当するので、当該配置項目もSGsとGs関連情報の一つの実施方式であると認めてもよい)、こうしてMMEが聯合のTAU/LAUを行うときにISR活性化を制限し、MMEがUEに送信する聯合のTAU/LAU受け付けるメッセージにはISR活性化ID情報を携帯しなく、UEはISRが活性化されていないと承知し、後続にGSM/UMTSネットワークに移動するとき、聯合のTAUとLAUプロセスを開始してGsアソシエイトを改めて構築することになり、上記問題を解決する。具体的に実施するとき、MMEがS3インタフェースからCSページングメッセージの転送をサポートしない場合、上記のMME静的配置実施方式のほか、人為的な規定またコード実現などの方式を通じてすべての聯合のTAU/LAUプロセスにてMMEのISR活性化を制限することを実現できる。
【００６９】
〔第二実施例〕
本実施例では、ISR活性化判断ネットソースはISR活性化プロセスにてSGs/Gs関連情報を動的に取得して、SGs/Gs関連情報はコンテキスト請求応答側ネットソースがGs/SGsインタフェースをサポート方式にて作動しているかどうかの情報である。
【００７０】
MME/SGSNは自身と接続するSGSN/MMEがGs/SGsインターフェースサポート方式にて作動するかどうかを静的に配置する必要はなく、ISR活性化相手のSGSN/MMEがコンテキスト応答メッセージにて運ぶGs/SGsインタフェースをサポートする方式にて作動するかどうかの情報を携帯する。MME/SGSNはTAU/LAUを行うときに、自身がSGs/Gsアソシエイト関係を構築するかどうかを判断し、ISR活性化相手ネットソースSGSN/MMEがGs/SGsインタフェースをサポートするかどうかを判断し、SGsインタフェースをサポートするがGsインタフェースをサポートしない場合、UEとネットワークがISR機能をサポートするなどISR活性化判断条件を満足しても、ISRを活性化にしない。
【００７１】
本発明第二実施例のISR活性化するかどうかを判断する方法のプロセスは図5のように示す。当該プロセスは以下のようである：
501：UEはMME/SGSNにTAU/RAU請求メッセージを送信し、当該メッセージのターミナルネットワーク能力パラメータにターミナルのISR能力を含む；
502：TAUまたRAUのプロセスにて、MME/SGSNはコンテキスト請求側としてSGSN/MMEにコンテキスト請求を送信する；
503：SGSN/MMEはコンテキスト請求応答側としてコンテキスト請求側MME/SGSNにコンテキスト応答を送信し、その中自身のISR能力、及びGs/SGsインタフェースサポート方式にて作動しているかどうかの情報を携帯し；Gs/SGsインタフェースをサポートする方式にて作動しているかどうかの情報は一つの情報フィールドを新しく増加すること、または、既存のフィールドを拡張することによって実現できる；
504：コンテキスト請求側はコンテキスト応答メッセージを受信してから、ISRを活性化する必要があるかどうかを判断する；それにコンテキスト応答メッセージにてISR活性化ID情報は目前ISRを活性化するかどうかをSGSN/MMEに知らせる；
ISRを活性化するかどうかの判断を行う時に、UEとネットワークのISR能力などISR活性化判断条件を判断するほか、SGsとGsインタフェースをサポートする方式で作動しているかどうかも判断する必要はある。UEとネットワークともにISR機能をサポートするなどのISR活性化判断条件を満足し、かつMMEがSGsインタフェースをサポートする場合、SGSNがGsインタフェースをサポートすれば、ISRを活性化にして、さもないと、ISRを活性化にしない。
【００７２】
505：コンテキスト請求側MME/SGSNはUEに更新受け付けるメッセージを送信し、ISR活性化ID情報を通じてUEに目前でISRを活性化にするかどうかを知らせる。
【００７３】
MMEとSGSNはISRを活性化にするかどうかを判断するとき、ターミナルとネットワークのISR能力などのISR活性化判断条件、及びSGsと Gsインタフェースをサポートするかどうかを判断する必要はある。SGSNはMMEに送信するコンテキスト応答メッセージにてGsインタフェースをサポートする方式にて作動しているかどうかの情報を携帯し；MMEはSGSNに送信するコンテキスト応答メッセージにSGsインタフェースをサポートする方式にて作動しているかどうかの情報を携帯する。
【００７４】
図6はUEがEPSネットワークにてアクセスするときに触発するトラッキングエリア更新プロセス中ISR活性化に応用される本発明第二実施例のプロセス模式的図である。当該プロセスは以下のようである：
601：UEはMMEにトラッキングエリア更新請求メッセージを送信し、当該メッセージ中のターミナルネットワーク能力パラメータ中にターミナルのISR能力を含む；
602：トラッキングエリア更新プロセスにて、MMEはコンテキスト請求側としてSGSNにコンテキスト請求を送信する；
603：SGSNはコンテキスト請求応答側としてコンテキスト請求側MMEにコンテキスト応答を送信し、その中自身のISR能力及びGsインタフェースをサポートする方式にて作動しているかどうかの情報を携帯する；
604：MMEはコンテキスト応答メッセージを受信してから、ISRを活性化にする必要があるかどうかを判断する；それにコンテキスト応答メッセージにてISR活性化IDを通じてSGSNに目前ISRを活性化にするかどうかを知らせる。
【００７５】
ISRを活性化するかどうかの判断おこなうときに、UEとネットワークのISR能力などのISR活性化判断条件、及びSGsとGsインタフェースをサポートする方式にて作動しているかどうかを判断する必要はある。UEとネットワークともにISR機能サポートするなどのISR活性化判断条件を満足でき、かつMMEがSGsインタフェースをサポートする場合、SGSNがGsインタフェースをサポートすれば、ISRを活性化にして、さもないと、ISRを活性化にしない。
【００７６】
605：MMEはUEにトラッキングエリア更新受け付けるメッセージを送信し、ISR活性化ID情報を通じて目前ISRを活性化にするかどうかをUEに知らせる。
【００７７】
図7はUEがGSM/UMTSネットワークにてアクセスするとき触発するルーティングエリア更新プロセス中ISR活性化に応用される本発明第二実施例のプロセス図である。当該プロセスは以下のようである：
701：UEはSGSNにルーティングエリア更新請求メッセージを送信し、当該メッセージ中のターミナルネットワーク能力パラメータにはターミナルのISR能力を含む；
702：ルーティングエリア更新プロセスにて、SGSNはコンテキスト請求側としてMMEにコンテキスト請求を送信する；
703：MMEはコンテキスト請求応答側としてコンテキスト請求側SGSNにコンテキスト応答を送信し、その中自身のISR能力及びSGsインタフェースをサポートする方式にて作動しているかどうかの情報を携帯する；
704：SGSNはコンテキスト応答メッセージを受信してから、ISRを活性化する必要があるかどうかを判断する；それにコンテキスト応答メッセージにてISR活性化IDを通じてMMEに目前ISRを活性化にするかどうかを知らせる；
ISRを活性化するかどうかの判断を行う時に、UEとネットワークのISR能力などISR活性化判断条件、及びSGsとGsインタフェースをサポートする方式にて作動しているかどうかを判断する必要はある。UEとネットワークともにISR機能をサポートするなどのISR活性化判断条件を満足でき、かつMMEがSGsインタフェースをサポートする場合、SGSNがGsインタフェースをサポートすれば、ISRを活性化にし、さもないと、ISRを活性化にしない。
【００７８】
705：SGSNはUEにルーティングエリア更新受け付けるメッセージを送信し、ISR活性化ID情報を通じて目前ISRを活性化にするかどうかをUEに知らせる。
【００７９】
本発明第二実施例が図3示す場景で実施するときのISR活性化のプロセスが図8のように示す。当該プロセスは以下のようである：
801：UEは先にEPSネットワークにてCSFBアクセスまた聯合のTAUとLAUを行い、SGsアソシエイト関係を構築する；それからUEはGSM/UMTSネットワークに移動し、RAUを行うとき、UEがRAU請求メッセージにおけるターミナルネットワーク能力パラメータにUEがISR機能をサポートする情報を携帯する；
802：RAU請求メッセージを受信してから、SGSNがコンテキスト請求メッセージを送信し、MMEからコンテキスト情報を取得する；
803：MMEはコンテキスト応答メッセージにて自身のISR能力を正常に携帯し、それにSGsインタフェースをサポートする方式にて作動しているかどうかの情報を運ぶ；
804：SGSNはコンテキスト応答を受信して、ISRを活性化にするかどうかを判断するとき、コンテキスト応答メッセージから承知するMMEがISR機能をサポートし、かつSGsインタフェースをサポートする方式にて作動しているが、SGSN自身はGsインタフェースをサポートしないことによって、ISRを活性化にしないと判断する；それにISR活性化IDを含まないコンテキスト応答メッセージを送信するによって、MMEにISRを活性化にしないと知らせる；
805：SGSNはISR活性化ID情報を含まないルーティングエリア更新受け付けるメッセージをUEに送信し、UEはISRが活性化にされていないと承知する。
【００８０】
後続に、UEはEPSネットワークに移動するとき、聯合のTAUとLAUプロセスを開始して、SGsアソシエイトを改めて構築することになる。
【００８１】
本発明第二実施例及びその変形は、ターミナルとネットワークがGsインタフェースをサポートしない状況に応用される以外、Gsインタフェースをサポートする各種のISR活性化判断場景にも応用される。例えば：
ショートメッセージなどのサービスを実現するときに、GsインタフェースとMMEへの影響を避けて、それにこれらのサービスを正常に行うことを保証するために、聯合のRAU/LAU プロセスにて、MMEはコンテキスト請求応答側としてコンテキスト請求側のSGSNにコンテキスト応答を送信し、その中に自身のISR能力を携帯するとともに、MMEがSGsインタフェースをサポートする方式にて作動しているかどうかの関係情報を携帯し、SGSNはコンテキスト応答メッセージ受信してから、コンテキスト応答側のMMEがGsインタフェースをサポートする方式にて作動していることを判断すれば、SGSNはいつもISRの活性化を制限する。SGSNはMMEに送信するコンテキスト応答メッセージにISR活性化ID情報を携帯しなく、ルーティングエリア更新受け付けるメッセージにISR活性化ID情報をUEに携帯しなく、UEはISRが活性化されていなと承知するので、後続にEPSネットワークに移動するとき聯合のTAUとLAUのプロセスを開始し、SGsアソシエイトを改めて構築し、ショートメッセージなどのサービスを正常に行えるよう保証することになる。
【００８２】
〔第三実施例〕
本実施例では、ISR活性化判断ネットソースはISR活性化プロセスを通じてSGs/Gs関連情報を動的に取得し、SGs/Gs関連情報はコンテキスト請求応答側ネットソースが既に当該UEのために、SGs/Gsアソシエイト関係を構築したかどうかの情報である。
【００８３】
SGSN/MMEはコンテキスト応答メッセージにて携帯した既にGs/SGsアソシエイト関係を構築したかどうかの情報をMME/SGSNに運ぶ；MME/SGSNはISRを活性化するかどうかの判断を行うときに、当該UEに対するSGsとGsアソシエイト関係をすべて構築できるかどうかを判断する；SGsアソシエイト関係の構築をサポートできる状況で、Gsアソシエイト関係の構築をサポートできないなら、UEとネットワークがともにISR機能をサポートするなどのISR活性化判断条件を満足しても、ISRを活性化にしない。
【００８４】
本発明第三実施例のISRを活性化するかどうか判断の方法のプロセスは図9のように示す。当該プロセスは以下のようである：
901：UEはMME/SGSNにTAU/RAU請求メッセージを送信し、当該メッセージのターミナルネットワーク能力パラメータにはターミナルのISR能力を含む；
902：TAUまたはRAUプロセスにて、MME/SGSNはコンテキスト請求側としてSGSN/MMEにコンテキスト請求を送信する；
903：SGSN/MMEはコンテキスト請求応答側としてコンテキスト請求側MME/SGSNにコンテキスト応答を送信し、その中自身のISR能力、及びGs/SGsアソシエイト関係を既に構築したかどうかの情報を携帯する。Gs/SGsアソシエイト関係を既に構築したかどうかの情報は一つの情報フィールドを新しく増加すること、または、既存のフィールドを拡張することによって実現できる；
904：コンテキスト請求側はコンテキスト応答メッセージを受信してから、ISRを活性化する必要あるかどうかを判断する；それにコンテキスト応答メッセージにてISR活性化ID通じて目前ISRを活性化するかどうかをSGSN/MMEに知らせる；
ISRを活性化するかどうかの判断を行う時に、UEとネットワークのISR能力などISR活性化判断条件を判断するほか、SGsと Gsアソシエイト関係の構築をサポートするかどうかも判断する必要はある。UEとネットワークがISR機能をサポートするなどのISR活性化判断条件を満足でき、かつMMEがSGsアソシエイトの構築をサポートできる場合、SGSNがGsアソシエイトの構築をサポートできれば、ISRを活性化にし、さもないと、ISRを活性化にしない。
【００８５】
905：コンテキスト請求側MME/SGSNはUEに更新受け付けるメッセージを送信し、ISR活性化ID情報を通じてUEに目前ISRを活性化にするかどうかをUEに知らせる。
【００８６】
MMEとSGSNはISRを活性化にするかどうかを判断するとき、ターミナルとネットワークのISR能力などISR活性化判断条件、及びSGsとGsアソシエイト関係を構築するかどうかを判断する必要はある。SGSNはMMEに送信するコンテキスト応答メッセージにGsアソシエイト関係をすでに構築したかどうかの情報を携帯する；MMEはSGSNに送信するコンテキスト応答メッセージにSGsアソシエイト関係をすでに構築したかどうかの情報を携帯する。
【００８７】
図10はUEがEPSネットワークにてアクセスするとき触発するトラッキングエリア更新プロセスにおいてISR活性化に応用される本発明第三実施例のプロセス図である。当該プロセスは以下のようである：
1001：UEはMMEにトラッキングエリア更新請求メッセージを送信し、当該メッセージ中のターミナルネットワーク能力パラメータにターミナルのISR能力を含む；
1002：トラッキングエリア更新プロセスにて、MMEはコンテキスト請求側としてSGSNにコンテキスト請求を送信する；
1003：SGSNはコンテキスト請求応答側としてコンテキスト請求側MMEにコンテキスト応答を送信し、その中自身のISR能力及び当該ターミナルのためにすでにGsアソシエイト関係を構築したかどうかの情報を携帯する；
1004：MMEはコンテキスト応答メッセージを受信してから、ISRを活性化にする必要があるかどうかを判断する；それにコンテキスト応答メッセージにてISR活性化ID情報を通じてSGSNに目前ISRを活性化にするかどうかを知らせる。
【００８８】
ISRを活性化するかどうかの判断を行う時に、UEとネットワークのISR能力などのISR活性化判断条件、及びSGsとGsアソシエイト関係の構築をサポートするかどうかを判断する必要はある。UEとネットワークともにISR機能をサポートするなどのISR活性化判断条件を満足でき、かつMMEがSGsアソシエイト関係の構築をサポートする場合、SGSNもGsアソシエイトの構築をサポートすれば、ISRを活性化にし、さもないと、ISRを活性化にしない。
【００８９】
1005：MMEはUEにトラッキングエリア更新受け付けるメッセージを送信し、ISR活性化ID情報を通じて目前ISRを活性化にするかどうかをUEに知らせる。
【００９０】
図11はUEがGSM/UMTSネットワークにてアクセスするとき触発するルーティングエリア更新プロセスにおいてISR活性化に応用される本発明第三実施例のプロセス図である。当該プロセスは以下のようである：
1101：UEはSGSNにルーティングエリア更新請求メッセージを送信し、当該メッセージ中のターミナルネットワーク能力パラメータにはターミナルのISR能力を含む；
1102：ルーティングエリア更新プロセスにて、SGSNはコンテキスト請求側としてMMEにコンテキスト請求を送信する；
1103：MMEはコンテキスト請求応答側としてコンテキスト請求側SGSNにコンテキスト応答を送信し、その中自身のISR能力及び当該ターミナルのためにすでにSGsアソシエイト関係を構築したかどうかの情報を携帯する；
1104：SGSNはコンテキスト応答メッセージを受信してから、ISRを活性化にする必要があるかどうかを判断する；それにコンテキスト応答メッセージにてISR活性化ID情報を通じてMMEに目前ISRを活性化にするかどうかを知らせる。
【００９１】
ISRを活性化するかどうかの判断を行うときに、UEとネットワークのISR能力などのISR活性化判断条件、及びSGsとGsアソシエイト関係の構築をサポートするかどうかを判断する必要はある。UEとネットワークともにISR機能をサポートするなどのISR活性化判断条件を満足でき、かつMMEがSGsアソシエイト関係の構築をサポートする場合、SGSNもGsアソシエイト関係の構築をサポートすれば、ISRを活性化にし、さもないと、ISRを活性化にしない。
【００９２】
1105：SGSNはUEにルーティングエリア更新受け付けるメッセージを送信し、ISR活性化ID情報を通じて目前ISRを活性化にするかどうかをUEに知らせる。
【００９３】
本発明第三実施例が図3に示す場景で実施するときのプロセスは図12のように示す：
1201：UEは先にEPSネットワークにてCSFBアクセスまたは聯合のTAUとLAUを行い、SGsアソシエイト関係を構築する；それからUEはGSM/UMTSネットワークに移動し、RAUを行うとき、UEがRAU請求メッセージにおけるターミナルネットワーク能力パラメータ中にISR機能をサポートする情報を携帯する；
1202：RAU請求メッセージを受信してから、SGSNがコンテキスト請求メッセージを送信し、MMEからコンテキスト情報を取得する；
1203：MMEはコンテキスト応答メッセージにて自身のISR能力を正常に携帯し、それにすでにSGsアソシエイト関係を構築したかどうかの情報を携帯する；
1204：SGSNはコンテキスト応答を受信して、ISRを活性化にするかどうかを判断するとき、コンテキスト応答メッセージから承知するMMEがISR機能をサポートし、かつSGsアソシエイト関係を既に構築したが、SGSN自身はGsアソシエイト関係の構築をサポートしない情報によって、ISRを活性化にしないと判断する；それにISR活性化ID情報を含まないコンテキスト応答メッセージを送信するによって、MMEにISRを活性化にしないと知らせる；
1205：SGSNはISR活性化ID情報を含まないルーティングエリア更新受け付けるメッセージをUEに送信し、UEはISRが活性化にされていないと承知する。
【００９４】
後続に、UEがEPSネットワークに移動するとき、聯合のTAUとLAUプロセスを開始することになる。
【００９５】
本発明第三実施例及びその変形は、ターミナルとネットワークがGsインタフェースをサポートしない状況に応用される以外、Gsインタフェースをサポートする各種のISR活性化判断場景にも応用される。例えば、
ショートメッセージなどのサービスを実現するときに、GsインタフェースとMMEへの影響を避けて、それにこれらのサービスを正常に行うことを保証するために、聯合のRAU/LAU プロセスにおいて、MMEがコンテキスト請求応答側としてコンテキスト請求側SGSNにコンテキスト応答を送信し、その中じぶんのISR能力を携帯するとともに、当該ターミナルがSGsアソシエイト関係をすでに構築したかどうかの情報も携帯し、SGSNはコンテキスト応答メッセージを受信してから、ターミナルがすでにSGsアソシエイト関係を構築したと判断し、SGSNは当該ターミナルに対しISRの活性化を制限し、MMEに送信するコンテキスト応答メッセージにISR活性化ID情報を携帯しなく、ルーティングエリア更新受け付けるメッセージ中にはUEへ運ぶISR活性化ID情報を携帯しなく、UEはISRが活性化にされていないと承知するので、後続にEPSネットワークに移動するとき聯合のTAUとLAUのプロセスを開始し、SGsアソシエイトを改めて構築し、ショートメッセージなどのサービスを正常に行えるよう保証することになる。
【００９６】
〔第四実施例〕
本実施例では、UEはTAUまたはRAU請求メッセージにてSGs/Gs関連情報を携帯してISR活性化判断ネットソースに運ぶ；その中、SGs/Gs関連情報はUEが前回アクセスする無線アクセスシステム中にSGs/Gsアソシエイト関係を既に構築したかどうかの情報であり、当該情報は一つの情報フィールドを新しく増加すること、または、既存のフィールドを拡張するなどの方式によって実現でき、それに当該情報は多種類の実施方式がありえ、UEがSGs/Gsアソシエイト関係を構築するかどうかを明確に表示する方式でもよい；UEがCSFB能力を有することを指示し、それにネットワークまたはUEの規定によりCSFB機能を活性化する状況のみにおいて、UEのCSFB能力情報を携帯する、こんな方式を通じて、既にターミナルがSGsアソシエイトを構築したことをネットワークに知らせる。
【００９７】
TAUまたはRAUを行うときに、UEはターミナルのネットワーク能力を正常に携帯してMME/SGSNに運ぶ以外、また既にGs/SGsアソシエイト関係を構築したかどうかの情報をTAUまたRAU請求メッセージにて携帯してMME/SGSNに運ぶ；その中、UEは既にCSFB付着または聯合のTAUとLAUを完成したかどうかによって、既にSGsアソシエイト関係を構築したかどうかを承知し、それに既に聯合のRAUとLAUを成功に行ったかどうかによって、既にGsアソシエイト関係を構築したかどうかと承知する。UEはほかの方式でSGs/Gsアソシエイト情報を取得してもよい。
【００９８】
SGSN/MMEはコンテキスト応答メッセージにて自身のISR能力を正常に携帯する。MME/SGSNはISRを活性化するかどうかの判断を行うときに、UEが前回アクセスする無線アクセスシステムに既にGs/SGsアソシエイト関係を構築したかどうかを判断し、SGsアソシエイトを構築してGsアソシエイトを構築しない場合、UEとネットワークともにISR機能をサポートするなどのISR活性化判断条件を満足しても、ISRを活性化にしない。当該方法のプロセスは図13のように示す。当該プロセスは以下のようである：
1301：UEはMME/SGSNにTAU/RAU請求メッセージを送信し、当該メッセージ中のターミナルネットワーク能力パラメータにはターミナルISR能力、及び前回アクセスする無線アクセスシステムにて既にGs/SGsアソシエイト関係を構築したかどうかの情報を含む；
1302：TAUまたはRAUプロセスにて、MME/SGSNはコンテキスト請求側としてSGSN/MMEにコンテキスト請求を送信する；
1303：SGSN/MMEはコンテキスト請求応答側としてコンテキスト請求側MME/SGSNにコンテキスト応答を送信し、その中自身のISR能力を携帯する；
1304：コンテキスト請求側はコンテキスト応答メッセージを受信してから、ISRを活性化する必要があるかどうかを判断する；それにコンテキスト応答メッセージにてISR活性化ID情報を通じて目前ISRを活性化するかどうかをSGSN/MMEに知らせる；
ISRを活性化するかどうかの判断を行うときに、UEとネットワークのISR能力などのISR活性化判断条件を判断するほか、UEが送信したGs/SGs関係情報によりGs/SGsアソシエイト関係を同時に構築するかどうかを判断する必要がある；UEとネットワークがISR機能をサポートするなどのISR活性化判断条件を満足し、かつSGsアソシエイト関係を構築する場合、Gsアソシエイト関係構築する場合、ISRを活性化にして、さもないと、ISRを活性化にしない。
【００９９】
1305：コンテキスト請求側MME/SGSNはUEに更新受け付けるメッセージを送信し、ISR活性化ID情報を通じてUEに目前ISRを活性化にするかどうかを知らせる。
【０１００】
MMEとSGSNはISRを活性化にするかどうかを判断するとき、ターミナルとネットワークのISR能力などのISR活性化判断条件、及びSGs とGsアソシエイト関係を同時に構築するかどうかを判断する必要はある。UEはMMEに送信するトラッキングエリア更新請求メッセージ中にGsアソシエイト関係をすでに構築したかどうかの情報を携帯し；UEは SGSNに送信するルーティングエリア更新請求メッセージにてSGsアソシエイト関係をすでに構築したかどうかの情報を携帯する。
【０１０１】
本発明第四実施例が図3の示す場景で実施するときのプロセスは図14のように示す。当該プロセスは以下のようである：
1401：UEはさきにEPSネットワークにてCSFBアクセス又は聯合のTAUとLAUを行う；それからUEはGSM/UMTSネットワークに移動し、RAUを行うとき、UEはRAU請求メッセージにおけるターミナルネットワーク能力パラメータにUEがISR機能をサポートする情報を携帯し；それにすでにCSFB付着、または聯合のTAUとLAUを成功に行うことによって、SGsアソシエイト関係を既に構築した情報を携帯する；
1402：RAU請求メッセージを受信してから、SGSNはコンテキスト請求メッセージを送信して、MMEからコンテキスト情報を取得する；
1403：MMEはコンテキスト応答メッセージにて自身のISR能力を正常に携帯する；
1404：SGSNはコンテキスト応答を受信して、ISRを活性化するかどうかを判断するときに、RAU更新請求メッセージから承知する既にSGsアソシエイト関係を構築したが、SGSN自身がGsアソシエイト関係を構築しない情報によって、ISRを活性化にしないと判断する；それにISR活性化ID情報を含まないコンテキスト応答メッセージを送信することを通じて、ISRを活性化にしないとMMEに知らせる；
1405：SGSNはISR活性化ID情報を携帯しないルーティングエリア更新受け付けるメッセージをUEに送信し、UEはISRが活性化にされていないと承知する。
【０１０２】
後続に、UEはEPSネットワークに移動するとき、聯合のTAUとLAUプロセスを開始することになる。
【０１０３】
本発明第四実施例及びその変形は、ターミナルとネットワークがGsインタフェースをサポートしない状況に応用される以外、Gsインタフェースをサポートする各種のISR活性化判断場景にも応用される。例えば、ショートメッセージなどのサービスを実現するときに、GsインタフェースとMMEへの影響を避けて、それにこれらのサービスを正常に行うことを保証するために、聯合のRAU/LAUプロセスにて、SGSNはターミナルが携帯するSGsアソシエイト情報を既に構築したかどうかの情報によって、ISR機能の活性化を制限するかどうかを判断し、具体的な実施方式は多種類がある。例えば：
実施方式1、聯合のRAU/LAUを行うとき、UEはRAU請求メッセージ中のターミナルネットワーク能力パラメータにUEがISR機能をサポートする情報を運ぶ；それにすでにCSFB付着、または聯合のTAUとLAUを成功に行うによって、SGsアソシエイトを既に構築したかどうかの情報を携帯し；SGSNはISRを活性化するかどうかを判断するとき、UEが携帯した情報によって当該UEがSGsアソシエイトを既に構築したかどうかと承知でき、したがって、SGsアソシエイトを既に構築したUEに対して、ISR活性化を制限することを判断かつ決定し、SGSNはMMEに送信するコンテキスト応答メッセージにISR活性化ID情報を運ばなく、ルーティングエリア更新受け付けるメッセージにISR活性化ID情報をUEに運ばなく、UEはISRが活性化にされていないと承知するので、EPSネットワークに移動するとき、聯合のTAUとLAUプロセスを開始し、SGsアソシエイトを改めて構築することになる。
【０１０４】
実施方式2、聯合のRAU/LAUを行うとき、UEはRAU請求メッセージ中のターミナルネットワーク能力パラメータにおいてUEがISR機能をサポートする情報を含む；それにネットワークまたはUEの配置規定によってCSFB機能を活性化にする場合、UEがCSFB機能をサポートすると指示することによって、SGSNに当該ターミナルが既にSGsアソシエイトを構築したと知らせ、SGSNはISRを活性化にするかどうかを判断するとき、UEが携帯する情報によって当該UEがSGsアソシエイトを既に構築したかどうかを承知でき、したがって、SGsアソシエイトを既に構築したUEに対して、ISR活性化を制限することを判断かつ決定し、UEが後続にEPSネットワークに移動するときSGsアソシエイトを改めて構築できることを保証する。
【０１０５】
上記すべての実施例において、UEは更新請求メッセージに自身のISR能力情報を運ばなくてもよく、EPSとGSM/UMTSネットワークにアクセスできるすべてのUEはISR能力を有すると規定、またはデフォルトにしてもよい。
【０１０６】
図15は本発明実施例がアイドルモードにおけるシグナリング節約機能を活性化するかどうかを判断するシステム構成図である。図15の示すように、当該システムは：ターミナル、コンテキスト請求ネットソース、コンテキスト応答ネットソースを含む。その中：
コンテキスト請求ネットソースはISR活性化判断ネットソースであり、SGs/Gs情報取得ユニットとISR活性化判断ユニットをふくむ。
コンテキスト請求ネットソースはターミナルが送信するルーティングエリア或いはトラッキングエリアの更新請求を受信するに利用され、それにコンテキスト請求応答ネットソースにコンテキスト請求を送信する；コンテキスト応答ネットソースから返したコンテキスト応答を受信してから、ISR活性化判断ユニットはターミナルとネットワークのISR能力などのISR活性化判断条件、及びSGs/Gs情報取得ユニットが取得するSGsとGs関連情報によって、ISR機能を活性化するかどうかを判断し、それに判断結果をコンテキスト応答ネットソースとターミナルに知らせる；
上記ルーティングエリア又はトラッキングエリア更新請求中にターミナルのISR能力情報を含むが、ターミナルのISR能力情報を含まなくてもよくて、EPSとGSM/UMTSネットワークにアクセスできるすべてのUEがISR能力を有すると規定、またはデフォルトしてもよい；
上記コンテキスト応答にはコンテキスト応答ネットソースのISR能力情報を含む。
【０１０７】
その中、上記コンテキスト請求ネットソースとコンテキスト応答ネットソースはそれぞれSGSN又はMMEなかの一つである；
SGs/Gs情報は：MMEがSGsインタフェースをサポートする方式にて作動しているかどうか或いは既にSGsアソシエイト情報を構築したかどうかである；SGSNがGsインタフェースをサポートする方式にて作動しているかどうか或いは既にGsアソシエイト情報を構築したかどうかである；SGs/Gs情報はS3インタフェースでCSページングメッセージの転送をサポートするかどうかを表示することに拡大してもよい。
【０１０８】
コンテキスト請求ネットワークは以下の条件を満足するときに、ISR機能を活性化にしないと判断する：MMEがSGsインタフェースをサポートする方式にて作動して且つSGSNがGsインタフェースをサポートしない方式にて作動している；又は、MMEはSGsアソシエイトを構築するときに、SGSNはGsアソシエイトを構築しない；又は、聯合のルーティングエリア/ロケーションエリア更新のときに、ターミナルがすでにSGsアソシエトを構築したと判断する；又は、聯合のルーティングエリア/ロケーションエリア更新のときに、MMEがSGsインタフェースをサポートする方式にて作動していると判断する；又はMMEとSGSNがSGsとGsインタフェースをサポートするとき、S3インタフェースでCSページングメッセージの転送をサポートしない。上記SGsとGs関連情報はコンテキスト請求ネットソース中のSGs/Gs情報取得ユニットに静的に配置してもよい。
【０１０９】
更に、コンテキスト応答ネットソースにはまたSGs/Gs情報送信ユニットを含んでもよく、具体的に言えば：
コンテキスト請求ネットソースはMMEであり、コンテキスト応答ネットソースはSGSNであれば；SGSNにGs情報送信ユニットを含み、コンテキスト応答にてSGSNがGsインタフェースをサポートする方式で作動しているかどうか或いは既にGsアソシエイト関係の情報を構築したかどうかの情報を携帯することに利用され、それに当該情報を前記MMEのSGs/Gs情報取得ユニットに送信する。
コンテキスト請求ネットソースはSGSNであり、コンテキスト応答ネットソースはMMEであれば；MMEにSGs情報送信ユニットを含み、コンテキスト応答にてMMEがGsインタフェースをサポートする方式で作動しているかどうか或いは既にSGsアソシエイト関係の情報を構築したかどうかの情報を携帯することに利用され、それに当該情報を前記SGSNのSGs/Gs情報取得ユニットに送信する。
そのほか、ターミナルにまたSGs/Gs情報送信ユニットを含んでもよく、具体的に言えば：
トラッキングエリア更新を行うなら、ターミナルにおけるSGs/Gs情報送信ユニットは聯合のルーティングエリアとロケーション更新を既に成功に行うかどうかによって、SGSNが既にGsアソシエイト関係を構築したかどうかと承知し、且つそれをトラッキングエリア更新請求に含まれてMMEに知らせる；ターミナルなかのSGs/Gs情報送信ユニットはターミナルとネットワークがGsインタフェースの活性化をサポートと配置をするかどうかの情報によって、既にGsアソシエイト関係を構築したかどうかを判断し、それに既にGsアソシエイトを構築した状況のみでトラッキングエリアの更新請求中にGs能力を携帯することによって、Gsアソシエイトの構築済みを表示する。
【０１１０】
ルーティングエリア更新を行えば、ターミナルなかのSGs/Gs情報送信ユニットは回線交換ドメインフォールバック付着、或いは聯合のTAUとLAUを既に完成したかどうかによって、MMEがSGsアソシエイト関係を既に構築したかどうかと承知し、且つそれをルーティングエリア更新請求に含まれてSGSNに知らせる；ターミナルなかのSGs/Gs情報送信ユニットはターミナルがCSFB能力を有するかどうか、及びネットワークまたはUEはUEの活性化したCSFB機能を配置するかどうかによって、SGsアソシエイト関係をすでに構築したかどうかを決定し、当該UEがCSFB機能を活性化にする状況でCSFB能力を携帯することによって、SGsアソシエイトを既に構築したと表示する。
【０１１１】
以上述べたところを総合すれば、本発明の方法及びシステムを利用して、ISR機能を導入してから、MSC/VLRがUEをページングできない問題を解決し、様々な状況でもMSC/VLRが正確に回線交換ドメインページングを行え、それにUEをページングできるよう保証する；本発明の方法及びシステムはMSC/VLRへの影響は一番小さく、簡単に実現でき、CSFB機能とEPSネットワークの応用に有利である。
【０１１２】
以上述べたことはただ本発明の最適実施例であり、本発明を限定するものではなく、本分野の技術者にとって、本発明は各種の変更と変形がありえる。本発明の精神と原則以内における如何なる修正、入れ替え、改進など、すべて本発明の保護範囲に含まれる。
【０１１３】
もちろん、本発明はまたほかの多種類の実施例もありえ、本発明の精神及び実質を外れない状況で、本分野の技術者は本発明によって、各種の相応する変更と変形を作れるが、これらの相応する変更と変形はすべて本発明に添付する請求範囲に属するべきである。
【産業上の利用可能性】
【０１１４】
本発明の方法及びシステムを利用して、通信システムにてアイドルモードにおけるシグナリング節約機能を導入後、MSC/VLRがUEをページングできないかもしれない問題を解決し、様々な状況でもMSC/VLRが正確に回線交換ドメインページングを行え、それにUEをページングできると保証する；本発明の方法及びシステムはMSC/VLRへの影響は一番小さく、簡単に実現でき、CSFB機能とEPSネットワークの応用に有利である。
【図１】
2011527537.tif 000003
【図２】
2011527537.tif 000004
【図３】
2011527537.tif 000005
【図４】
2011527537.tif 000006
【図５】
2011527537.tif 000007
【図６】
2011527537.tif 000008
【図７】
2011527537.tif 000009
【図８】
2011527537.tif 000010
【図９】
2011527537.tif 000011
【図１０】
2011527537.tif 000012
【図１１】
2011527537.tif 000013
【図１２】
2011527537.tif 000014
【図１３】
2011527537.tif 000015
【図１４】
2011527537.tif 000016
【図１５】
2011527537.tif 000017
【国際調査報告】
2011527537.tif 000018
2011527537.tif 000019
2011527537.tif 000020
2011527537.tif 000021